(57)【要約】【課題】ラチェットレンチ嵌合構造を提供する。【解決手段】本発明のラチェットレンチ嵌合構造は、柄部と駆動部を有するレンチを有し、該駆動部に被せ孔及び該被せ孔と連通する収容溝を設け、該被せ孔内にラチェット環を取り付け、該収容溝内に内壁両端に位置する歯ブロック及び嵌合部材、両者の間に位置するバネを設け、且つ該ラチェット環は、外環歯列を有する。該歯ブロックは、歯列及び嵌合溝を有し、該歯列が外環歯列へ向き、該嵌合溝がバネの一端へ向く。該嵌合部材は、嵌合片と弧ガイド片を有し、且つ該嵌合片と弧ガイド片の間に挟み口を形成する。該バネの両端は、それぞれ該嵌合溝と挟み口に嵌合し、該バネは歯ブロックと嵌合部材を直線に押し、収容溝内壁に沿って移動させ、ラチェット環へ寄せ、且つ該歯ブロックの歯列は、外環歯列に精確に噛み合い、操作の円滑性及び安定性を向上させる。【選択図】図１
2017196696.tif 000002
【特許請求の範囲】
【請求項１】
柄部と駆動部を有し、該駆動部に被せ孔及び収容溝を設け、該収容溝が被せ孔と柄部の間に位置し且つ該被せ孔を連通し、該被せ孔内にラチェット環を取り付け、該収容溝内に内壁両端に位置する歯ブロック及び嵌合部材、該歯ブロック、嵌合部材の間に位置するバネを設け、且つ該ラチェット環は、外環歯列を有するレンチを含み、
該歯ブロックは、歯列及び嵌合溝を有し、該歯列が外環歯列へ向き、該嵌合溝がバネの一端へ向き、
該嵌合部材は、嵌合片と弧ガイド片を有し、且つ該嵌合片と弧ガイド片の間に挟み口を形成し、該挟み口は、バネの他端に向き、
該バネの両端は、それぞれ該嵌合溝と挟み口に嵌合し、該バネは歯ブロックと嵌合部材を直線に押し、収容溝内壁に沿って移動させ、ラチェット環へ寄せ、且つ該歯ブロックの歯列は、外環歯列に精確に噛み合う、ラチェットレンチ嵌合構造。
【請求項２】
前記収容溝の内壁が弧面であり、該歯ブロックに弧ガイド面を設け、且つ該弧ガイド面は、歯列及び嵌合溝に隣接し、該弧ガイド面は、収容溝内壁の弧面に寄り、歯ブロックの円滑な移動を補助することに用いられる請求項１に記載のラチェットレンチ嵌合構造。
【請求項３】
前記歯ブロックの嵌合溝がテーパスロットを有し、且つ該テーパスロットは、バネ端部に堅固に嵌合結合する請求項１に記載のラチェットレンチ嵌合構造。
【請求項４】
前記嵌合部材は、ステンレス片が湾折して湾曲弾性変形構造を有するように形成され、且つ該嵌合片は、湾曲嵌合端を有し、該湾曲嵌合端は、バネ端部に嵌合結合する請求項１乃至３の何れか一項に記載のラチェットレンチ嵌合構造。
【請求項５】
前記嵌合部材の弧ガイド片は、貫通嵌合片を凸設し、該貫通嵌合片は、バネ端部に挿入嵌合する請求項４に記載のラチェットレンチ嵌合構造。
【発明の詳細な説明】
【技術分野】
【０００１】
本発明は、レンチ工具の技術分野に関し、特に、ラチェットレンチ嵌合構造に関する。
【背景技術】
【０００２】
レンチ工具は現在まで発展を遂げ、既にそれは成熟の段階に至っており、そのうち、単一方向レンチは、構造が簡単であって耐久性があり、且つトルク値も時代の進歩に伴って工業使用の要求の水準に達している。その一般の単一方向ラチェットレンチは、スリーブを合わせ、螺子又はナット等の螺合部材を駆動し、その構造は、外環歯列とラチェット環によって歯列を有する歯ブロックと単一方向に嵌合し、該螺合部材を回転の中心として該単一方向ラチェットレンチをフリップ（flip）する時、そのうち、一方向は、螺合部材の回転を駆動することができ、反対に、他方向は、空回りし、これにより、使用者は、該スリーブ及び該螺合部材の分離及び被せ合わせを繰り返す必要がなく、操作を簡便にする効果を有する。
【０００３】
ラチェット環の外輪歯列と歯ブロックの単一方向嵌合の操作上の要点は、多くの歯を噛み合わせることを良しとするものではなく、精確に歯を噛み合わせることにある。また、そのうち、外環歯列を有するラチェット環は、一般に多くが粉末治金で形成され、その外環歯列を一般的に比較的耐摩耗性がなく摩損し易くさせるので、単一方向レンチの設計のもう１つの要点は、ラチェット環の外環歯列の磨耗を如何に回避、低減するかにある。
【０００４】
また、中華民国専利公告第４６８５４１『簡易型ラチェットレンチ』実用新案を参照すると、該専利の構造は、その要約書には、以下のように記載される：レンチ本体、ラチェット輪、弧形ブロック、外蓋、塞栓及び弾性体を含む簡易型ラチェットレンチであり、それは、半月形の弧形ブロックを利用してレンチ本体の収容溝内に取り付け、弾性体により弧形ブロックを収容溝の一端まで押し、弧形溝の弧面及び収容溝の内壁を大きな面積で係合させ、ラチェットレンチに比較的大きなトルクを受けられるようにし、本考案の塞栓の一端は、エンボス部であり、レンチ本体の貫通孔と緊密に合わさることができ、螺子栓及び螺子孔の組み合わせを用いる必要がなく、且つ塞栓は、弾性体内に挿入でき、弾性体が力を受けて収縮して変形変位して故障を招くこと防止することができ、この簡単な設計は、多重の効果を達成することができ、生産速度を大幅に向上させ、生産コストを低減することができ、実に進歩性を有する設計である。
【０００５】
しかしながら、該専利の図３のロックフリップの説明図及び図４のリリースフリップの説明図で示される操作において、図４のリリースフリップの説明図で示される弾性体は、操作の作用力によって歪曲状変形を呈する。これは、その請求項１に記載の「塞栓がレンチ本体の貫通孔内に入ることができ、貫通孔と緊密に合わさった状態を呈し、塞栓の一端は、弾性体内に挿入され、弧形ブロックの凸柱は、弾性体の他端内に挿入される」ことにより、弾性体の一端を塞栓に固定させ、弧形ブロックの他端を押せば、弧形ブロックとラチェット輪の噛み合い及び離脱の間で移動させて歪曲変形させ、弾性体の二端に湾曲状態で非直線の押し込みを形成させ、弾性体が押した弧形ブロックのラチェットとラチェット輪のラチェットは、不精確な噛み合いを形成させる。従って、操作使用上の円滑度と安定性が良好でなくなり、上記従来式レンチ構造の使用上の欠陥の一つとなっている。
【０００６】
また、前記のように、弾性体が推す弧形ブロックのラチェット及びラチェット輪のラチェットが不精確な噛み合わせの関係を形成することによって、更に、ラチェット輪のラチェット歯面の磨耗を加速させ、耐久使用することができず、上記従来式レンチ構造の使用上の欠陥のまた一つとなっている。
【０００７】
上記を総合し、現在の単一方向レンチ構造の技術が発展上直面する困難及び欠陥は、以下である。
１、弧形ブロックを押す弾性体が歪曲状態において被直線の押し込みを形成し、弾性体が推す弧形ブロックのラチェット及びラチェット輪のラチェットが精確に噛み合うことができなくなり、操作使用上の円滑性及び安定性の不良を招く。
２、弾性体が推す弧形ブロックのラチェット及びラチェット輪のラチェットが精確に噛み合うことができないことにより、ラチェット輪のラチェット歯面の磨耗が加速し、耐久使用することができない。
【０００８】
従って、上記引用先行技術の構造が、弾性体が推す弧形ブロックのラチェット及びラチェット輪のラチェットを精確に噛み合わせることができず、操作使用上の円滑性及び安定性の不良を招くこと、及びラチェット輪のラチェット歯面の磨耗が加速する等の欠陥に対して如何に改善するかは、本発明が解決しようとする難点の所在となっている。
【先行技術文献】
【特許文献】
【０００９】
【特許文献１】特開2005-169559号公報
【発明の概要】
【発明が解決しようとする課題】
【００１０】
本発明の目的は、ラチェットレンチ嵌合構造を提供し、該レンチの駆動部は、被せ孔及び被せ孔を連通する収容溝を設け、該被せ孔内にラチェット環を取り付け、該ラチェット環は、外環歯列を有し、該収容溝内に内壁両端に位置する歯ブロック及び嵌合部材及び中間に位置するバネを設置する。バネの両端が直線に歯ブロック及び嵌合部材をおし、収容溝内壁の弧面に沿って移動させ、ラチェット環へ寄せ、該歯ブロックの歯列を外環歯列に精確に噛み合わせさせ、操作使用上の円滑性及び安定性を有効に向上することにある。
【００１１】
本発明のもう１つの目的は、ラチェットレンチ嵌合構造を提供し、ステンレス片が湾折されて湾曲弾性変形構造を有する嵌合部材を形成することによって、レンチ操作の空回り工程において、該嵌合部材の嵌合片を湾曲変形した弾性緩衝により外環歯列の変位する各先端歯に係合させ、外環歯列に対して各先端歯が変位係合する時に形成する磨耗を有効に緩和、低減することができ、耐久使用の多重な進歩性を達成することにある。
【課題を解決するための手段】
【００１２】
上記の目的及び効果を達成する為、本発明のラチェットレンチ嵌合構造は、柄部と駆動部を有するレンチを有し、該駆動部に被せ孔及び収容溝を設け、該収容溝が被せ孔と柄部の間に位置し且つ該被せ孔を連通し、該被せ孔内にラチェット環を取り付け、該収容溝内に内壁両端に位置する歯ブロック及び嵌合部材、該歯ブロック、嵌合部材の間に位置するバネを設け、且つ該ラチェット環は、外環歯列を有する。該歯ブロックは、歯列及び嵌合溝を有し、該歯列が外環歯列へ向き、該嵌合溝がバネの一端へ向く。該嵌合部材は、嵌合片と弧ガイド片を有し、且つ該嵌合片と弧ガイド片の間に挟み口を形成し、該挟み口は、バネの他端に向く。該バネの両端は、それぞれ該嵌合溝と挟み口に嵌合し、該バネは歯ブロックと嵌合部材を直線に押し、収容溝内壁に沿って移動させ、ラチェット環へ寄せ、且つ該歯ブロックの歯列は、外環歯列に精確に噛み合う。
【００１３】
本発明の更なる技術特徴は、該収容溝の内壁が弧面であり、該歯ブロックに弧ガイド面を設け、且つ該弧ガイド面は、歯列及び嵌合溝に隣接し、該弧ガイド面は、収容溝内壁の弧面に寄り、歯ブロックの円滑な移動を補助することに用いられることにある。
【００１４】
本発明の更なる技術特徴は、該歯ブロックの嵌合溝がテーパスロットを有し、且つ該テーパスロットは、バネ端部に堅固に嵌合結合することにある
【００１５】
本発明の更なる技術特徴は、該嵌合部材は、ステンレス片が湾折して湾曲弾性変形構造を有するように形成され、且つ該嵌合片は、湾曲嵌合端を有し、該湾曲嵌合端は、バネ端部に嵌合結合することにある
【００１６】
本発明の更なる技術特徴は、該嵌合部材の弧ガイド片は、貫通嵌合片を凸設し、該貫通嵌合片は、バネ端部に挿入嵌合することにある。
【発明の効果】
【００１７】
上記本発明は、レンチ１の駆動部がラチェット環１５を取り付ける被せ孔１３及び被せ孔１３に連通する収容溝１４を有し、該収容溝１４内に内壁両端に位置する歯ブロック２と嵌合部材３及び中間に位置するバネ４を設ける。バネ４両端が推す該歯ブロック２と該嵌合部材３は、如何なる限位も受けずに単純に収容溝１４内壁両端に寄り、これに基づき、該バネ４の両端に直線に歯ブロック２と嵌合部材３を押し込ませ、現在の単一方向レンチ構造技術の発展上に直面する困難及び欠陥を突破することができ、以下の利点を達成する。
１、歯ブロック２と嵌合部材３をバネ４の両端を直線に押し込み、収容溝１４内壁の弧面に沿って移動させてラチェット環１５へ寄り、該歯ブロック２の歯列２１を外環歯列１５１に精確に噛み合わせ、使用上の円滑性及び安定性を有効に向上させる。
２、ステンレス片が湾折して湾曲弾性変形構造を有するように形成された嵌合部材３により、レンチ１操作の空回り工程において、該嵌合部材３の嵌合片３１を湾曲変形した緩衝弾性により外環歯列１５１の変位する各先端歯に係合しし、外環歯列１５１の各先端歯が変位係合時に形成する磨耗を有効に緩和、低減し、耐久使用を兼ね備える多重の進歩性を達成する。
【図面の簡単な説明】
【００１８】
【図１】本発明の立体分解説明図である。
【図２】本発明の立体組み合わせ説明図である。
【図３】本発明の図２のIII−III線方向に基づく断面説明図である。
【図４】本発明の図３に基づき、ロックフリップ操作を行う断面説明図である。
【図５】本発明の図３に基づき、リリースフリップ操作を行う断面説明図である。
【図６】本発明の嵌合部材がリリースフリップ操作において、外環歯列と接触して変形する局部拡大断面説明図である。
【発明を実施するための形態】
【００１９】
本発明が上記の目的及び効果を達成する為に採用する技術手段と構造を分かり易くする為、図面を合わせて本発明の実施例について以下にその特徴及び効果を説明する。
【００２０】
図１〜図３を参照し、本発明のラチェットレンチ嵌合構造は、以下を含む。
レンチ１は、柄部１１及び駆動部１２を有し、該駆動部１２は、被せ孔１３及び収容溝１４を設け、該収容溝１４は、被せ孔１３及び柄部１１の間に位置し、且つ該被せ孔１３に連通し、該被せ孔１３内にラチェット環１５を取り付け、該収容溝１４内に内壁両端に位置する歯ブロック２及び嵌合部材３、及び該歯ブロック２、嵌合部材３の間のバネ４を設け、且つ該ラチェット環１５は、外環歯列１５１を有する。
【００２１】
該歯ブロック２は、歯列２１及び嵌合溝２２を有し、該歯列２１は、外環歯列１５１に向き、該嵌合溝２２は、バネ４の一端へ向く。
【００２２】
該嵌合部材３は、嵌合片３１及び弧ガイド片３２を有し、且つ該嵌合片３１及び弧ガイド片３２の間に挟み口３３を形成し、該挟み口３３は、バネ４の他端に向く。
【００２３】
該バネ４の両端は、それぞれ該嵌合溝２２と挟み口３３に嵌合結合され、該バネ４は、歯ブロック２と嵌合部材３を直線に押し、収容溝１４内壁に沿って移動し、ラチェット環１５へ寄り、且つ該歯ブロック２の外環歯列１５１は、外環歯列１５１に精確に噛み合う。
【００２４】
前記は、本発明の実施例の主要技術特徴であり、それは、本願の請求項１の内容に対応し、本発明の目的及び実施形態を詳細に理解することができ、その残りの従属項に記載の技術特徴は、請求項１の内容の詳細又は付加技術特徴であり、請求項１の定義範囲を制限するものではなく、本願の請求項１は、その従属項に記載の技術特徴を必ずしも含む必要はない。
【００２５】
上記図１〜図３において、本発明の各部材の特長を更に詳細に記載し、本発明の該収容溝１４の内壁が弧面であり、該歯ブロック２は、弧ガイド面２３を設け、且つ該弧ガイド面２３は、歯列２１及び嵌合溝２２に隣接し、該弧ガイド面２３は、収容溝１４内壁の弧面により、歯ブロック２の円滑な移動を補助する。次に、該歯ブロック２の嵌合溝２２は、テーパスロット２２１を有し、且つ該テーパスロット２２１は、バネ４の端部に堅個に嵌合結合する。また、該嵌合部材３は、ステンレス片が湾折して湾曲弾性変形構造を有するように形成され、且つ該嵌合片３１は、湾折嵌合端３１１を有し、該湾折嵌合端３１１は、バネ４端部に湾折嵌合する。
【００２６】
図４に示すように、該収容溝１４の内壁は、弧面であり、且つ該歯ブロック２は、弧ガイド面２３を設け、該弧ガイド面２３は、収容溝１４内壁の弧面に寄り、歯ブロック２の円滑な移動を補助する。該歯ブロック２の嵌合溝２２は、テーパスロット２２１を有し、バネ４の一端に堅個に嵌合し、且つ該嵌合部材３の嵌合片３１が設ける湾曲嵌合端３１１及び弧ガイド片３２が設ける貫通嵌合片３２１は、バネ４他端と嵌合結合する。バネ４両端が推す該歯ブロック２及び該嵌合部材３は限位されず、単純に収容溝１４内壁両端に寄り、これに基づき、該バネ４の両端を歯ブロック２の嵌合溝２２、嵌合部材３の挟み口３３と直線に押し込む結合を構成させ、図の矢印で示すとおりである。歯ブロック２と嵌合部材３をバネ４の両端に直線に押す状況において、収容溝１４内壁の弧面に沿って移動し、ラチェット環１５へより、該歯ブロック２の歯列２１をラチェット環１５の外環歯列１５１に精確に噛み合わせる。この時、レンチ１の柄部１１が図中の中空矢印に沿ってフリップし、収容溝１４内壁の弧面を同じ方向に沿って歯ブロック２をラチェット環１５へ押し、該歯ブロック２の歯列２１を外環歯列１５１に精確に噛み合わせ、ロックフリップの操作を形成する。
【００２７】
図５において、図中の矢印の方向に示すように、レンチ１の柄部１１は、図の中空矢印に沿ってフリップは、収容溝１４内壁の弧面を同一方向に沿って該歯ブロック２を離脱させ、該歯ブロック２に収容溝１４内壁を押す力を失った状況でラチェット環１５を離脱させ、且つ歯ブロック２の歯列２１を外環歯列１５１との噛み合わせから離脱させ、レンチ１に空回りのリリースフリップの操作を形成させる。
【００２８】
上記操作のように、該歯ブロック２と該嵌合部材３が単純に収容溝１４内壁両端に寄り、且つ如何なる限位も受けないことにより、該歯ブロック２と該嵌合部材３を自由に収容溝１４内壁に沿って移動させることができ、且つ歯ブロック２は、ラチェット環１５の噛み合わせ操作又はラチェット環１５と噛み合わせの離脱の繰り返し操作において、バネ４及び嵌合部材３と直線の押し込みの結合を保持し、従って、操作上従来式構造がバネ４の歪曲により噛み合わせが不精確になる状況を有効に回避することができる。
【００２９】
図６に示すように、前段のリリースフリップの操作において、レンチ１の柄部１１が図中の中空矢印に沿って空回りし、嵌合部材３は、収容溝１４内壁の弧面により連動され、同一方向にラチェット環１５の外環歯列１５１に沿って移動して各先端歯と係合する時、該嵌合部材３は、ステンレス片が湾折して湾曲弾性変形構造を有するように形成され、これにより、レンチ操作の空回りの工程において、該嵌合部材３の嵌合片３１を湾曲変形する緩衝弾性により外環歯列１５１の変位する各先端歯に係合させ、図中の破線で示すように、外環歯列１５１の変位する各先端歯の磨耗を更に有効に緩和、低減する。
【００３０】
上記本発明は、レンチ１の駆動部がラチェット環１５を取り付ける被せ孔１３及び被せ孔１３に連通する収容溝１４を有し、該収容溝１４内に内壁両端に位置する歯ブロック２と嵌合部材３及び中間に位置するバネ４を設ける。バネ４両端が推す該歯ブロック２と該嵌合部材３は、如何なる限位も受けずに単純に収容溝１４内壁両端に寄り、これに基づき、該バネ４の両端に直線に歯ブロック２と嵌合部材３を押し込ませ、現在の単一方向レンチ構造技術の発展上に直面する困難及び欠陥を突破することができ、以下の利点を達成する。
１、歯ブロック２と嵌合部材３をバネ４の両端を直線に押し込み、収容溝１４内壁の弧面に沿って移動させてラチェット環１５へ寄り、該歯ブロック２の歯列２１を外環歯列１５１に精確に噛み合わせ、使用上の円滑性及び安定性を有効に向上させる。
２、ステンレス片が湾折して湾曲弾性変形構造を有するように形成された嵌合部材３により、レンチ１操作の空回り工程において、該嵌合部材３の嵌合片３１を湾曲変形した緩衝弾性により外環歯列１５１の変位する各先端歯に係合しし、外環歯列１５１の各先端歯が変位係合時に形成する磨耗を有効に緩和、低減し、耐久使用を兼ね備える多重の進歩性を達成する。
【００３１】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３２】
１  レンチ
１１  柄部
１２  駆動部
１３  被せ孔
１４  収容溝
１５  ラチェット環
１５１  外環歯列
２  歯ブロック
２１  歯列
２２  嵌合溝
２２１  テーパスロット
２３  弧ガイド面
３  嵌合部材
３１  嵌合片
３１１  湾曲嵌合端
３２  弧ガイド片
３２１  貫通嵌合片
３３  挟み口
４  バネ
【図１】
2017196696.tif 000003
【図２】
2017196696.tif 000004
【図３】
2017196696.tif 000005
【図４】
2017196696.tif 000006
【図５】
2017196696.tif 000007
【図６】
2017196696.tif 000008